(57)【要約】【課題】簡単な構成で遊技玉の過払出しを防止すると共に、遊技玉を１個単位で払出すことが可能であり、端数であっても任意数だけ払出すことができるようにした遊技玉計数払出し機構を提供する。【解決手段】スプロケットホイール３の一側面には所定数の凹歯３ａ〜３ｈに対応した同じ数の係止用突部７ａ〜７ｈが設けられ、スプロケットホイールの近傍に設けられたソレノイド１０の作動軸１１に連接された回動レバー８が支軸１３を介して揺動自在に設けられると共に、該回動レバーの一側面における離間した２箇所に第１の係止片１７と第２の係止片１８とが設けられ、ソレノイドの作動軸の１回の往復動作によって回動レバーが１回揺動するに応じて、第１と第２の係止片が交互にスプロケットホイールの各係止用突部を係止し、係止が解除された間にスプロケットホイールが間欠的に回転することによって、遊技玉を玉通路の下方へ１個ずつ払い出す。【選択図】図２
2007082735.tif 000002
【特許請求の範囲】
【請求項１】
下方を向く玉通路内に回動自在に臨ませたスプロケットホイールの外周に遊技玉を１個ずつ係合する所定数の凹歯が形成され、前記玉通路内に上部から供給された遊技玉が自重で落下しつつ前記凹歯に係合されることによって前記スプロケットホイールを回転することにより、前記遊技玉を前記玉通路の下方へ排出するようにした遊技玉計数払出し機構において、前記スプロケットホイールの一側面には前記所定数の凹歯に対応した同じ数の係止用突部が設けられ、前記スプロケットホイールの近傍に設けられたソレノイドの作動軸に連接された回動レバーが支軸を介して揺動自在に設けられると共に、該回動レバーの揺動幅を規制するストッパが該遊技玉計数払出し機構のケースに設けられ、さらに前記回動レバーの一側面における離間した２箇所に第１の係止片と第２の係止片とが設けられ、前記ソレノイドの作動軸の１回の往復動作によって前記回動レバーが１回揺動するに応じて、前記第１の係止片と前記第２の係止片とが交互に前記スプロケットホイールの各係止用突部を順次係止することによって各係止用突部を間欠的に回転方向へ送り出すことにより、前記スプロケットホイールの凹歯に係合された前記遊技玉を１個ずつ解除して前記玉通路の下方へ払い出すようにしたことを特徴とする遊技玉計数払出し機構。
【発明の詳細な説明】
【技術分野】
【０００１】
本発明は、遊技店等で使用されている遊技玉計数払出し機構に係り、遊技玉の過払出しを防止すると共に、１個単位の払出しを可能とすることによって、任意数の遊技玉を払出すことができるようにした遊技玉計数払出し機構に関する。
【背景技術】
【０００２】
従来から、遊技店等のパチンコ機又は玉貸機等においては、遊技玉の自動補給、自動賞出、自動払出等を行うために、所定の玉数を計数して払出すようにした遊技玉計数払出し機構が設置されている。このような遊技玉計数払出し機構においては、スプロケットホイールの外周に設けられた所定数の凹歯に遊技玉を係合させて所定数の遊技玉を排出する際、スプロケットホイールの回転を制御することによって、遊技玉の過払出しを防止するようにした機能を備えるものである。
【０００３】
このような機構としては、例えば、特許文献１に記載されているものが周知である。この文献に記載されている「パチンコ玉排出装置とその排出制御方法」は、図６(ａ)及び(ｂ)に示すように、玉通路５０を流下するパチンコ玉Ｐに係合して回転するスターホイル５１と、パレット５２の揺動により歯車５３を歯５３ａ〜５３ｆを１枚毎に間欠的に回転させるようにしたエスケープ機構５４とを連動させてスターホイール５１を間欠回転させることにより、パチンコ玉Ｐの流下速度に関わりなく、必要数のパチンコ玉Ｐを排出する構成としたものであり、パレット５２はロータリーソレノイド５５によって揺動させる構成とされている。
【０００４】
ところが、このような構成においては、スターホイル（スプロケットホイールに相当する）５１のほかにパチンコ玉Ｐの排出を制御するための歯車５３を別途設ける必要があり、また歯車５３に係合するパレット５２を歯車５３の大きさに合わせて形成する必要がある。さらには、パレット５２を揺動させる駆動源として用いられたロータリーソレノイド５５は、一般的に知られるリニア型ソレノイドに比べて高価であるという欠点があった。
【０００５】
また、他の文献として特許文献２に記載されている「遊技玉計数払出し機構」は、図７に示すように、外周縁に所定数の凹歯６１を形成すると共に一側面に回転停止位置を検出する位置検出穴６２と外周寄りに一時係止用突部６３を設け、他側面に凹歯６１に対応した同じ数の切欠け部６４を有した玉計数円筒部６５とを一体形成したスプロケットホイール６６と、一端をソレノイド６７の動作軸６８に連接し、他端の先端に長突起と扇状部とから形成した回動レバー６９と、位置検出穴６２を検出する位置検出センサ７０と、玉計数円筒部６５に設けた切欠け部６４を玉計数として検出する計数センサ７１とから構成されたものである。
【０００６】
ところが、このような構成においては、スプロケットホイール６６の回転停止位置を検出するための位置検出センサ７０や、遊技玉を計数するために玉計数円筒部６５に設けられた切欠け部６４を検出する計数センサ７１等を別途設ける必要があり、部品点数が多くなり、コストが高くなるという問題があった。
【０００７】
また、特許文献２の構成においては、回動レバー６９の内側に係合部６９ａが設けられ、ソレノイド６７が消磁した際に、係合部６９ａの先端がスプロケットホイール６６の各凹歯６１に当接して、確実に一個ずつ計数すると共にスプロケットホイール６６を停止させる。ところが、スプロケットホイール６６の各凹歯６１が遊技玉と係合することによって夫々の凹歯６１が汚れると、回動レバー６９の係合部６９ａがスプロケットホイール６６の各凹歯６１に当接する動作に不具合が生じるおそれがある。
【特許文献１】特開平６−７９０４７号公報
【特許文献２】特開平１１−９９２７８号公報
【発明の開示】
【発明が解決しようとする課題】
【０００８】
本発明は、上記の事情に鑑みてなされたもので、遊技店等で使用されている遊技玉計数払出し機構であって、簡単な構成で遊技玉の過払出しを防止すると共に、遊技玉を１個単位で払出すことが可能であり、端数であっても任意数だけ払出すことができるようにした遊技玉計数払出し機構を提供することを目的とする。
【課題を解決するための手段】
【０００９】
上記の問題を解決するために、本発明の請求項１の遊技玉計数払出し機構は、下方を向く玉通路内に回動自在に臨ませたスプロケットホイールの外周に遊技玉を１個ずつ係合する所定数の凹歯が形成され、前記玉通路内に上部から供給された遊技玉が自重で落下しつつ前記凹歯に係合されることによって前記スプロケットホイールを回転することにより、前記遊技玉を前記玉通路の下方へ排出するようにした遊技玉計数払出し機構において、前記スプロケットホイールの一側面には前記所定数の凹歯に対応した同じ数の係止用突部が設けられ、前記スプロケットホイールの近傍に設けられたソレノイドの作動軸に連接された回動レバーが支軸を介して揺動自在に設けられると共に、該回動レバーの揺動幅を規制するストッパが該遊技玉計数払出し機構のケースに設けられ、さらに前記回動レバーの一側面における離間した２箇所に第１の係止片と第２の係止片とが設けられ、前記ソレノイドの作動軸の１回の往復動作によって前記回動レバーが１回揺動するに応じて、前記第１の係止片と前記第２の係止片とが交互に前記スプロケットホイールの各係止用突部を順次係止することによって各係止用突部を間欠的に回転方向へ送り出すことにより、前記スプロケットホイールの凹歯に係合された前記遊技玉を１個ずつ解除して前記玉通路の下方へ払い出すようにしたことを特徴とする。
【発明の効果】
【００１０】
上記のように構成された本発明の遊技玉計数払出し機構によれば、玉通路内の上部から自重で落下する遊技玉は、下方を向く玉通路内に回動自在に臨ませたスプロケットホイールの１個の凹歯に係合され、遊技玉の自重によってスプロケットホイールを回転させることにより玉通路内を落下しようとするが、ソレノイドの作動軸の１回の往復動作によって回動レバーが１回揺動するに応じて、第１の係止片と第２の係止片とが交互にスプロケットホイールの各係止用突部を順次係止することによって各係止用突部を間欠的に回転方向へ送り出すことが可能とされている。
【００１１】
このように、本発明においては、ソレノイドの作動とこれに伴う回動レバーの揺動によって、回動レバーに設けられた第１の係止片と第２の係止片の動作を制御し、この制御によって、スプロケットホイールの所定数の凹歯に対応した同じ数の係止用突部を回転方向へ１個ずつ移動させることによって、スプロケットホイールの回転を１個の凹歯ごとに制御することが可能となる。従って、遊技玉を１個単位で払出すことが可能となり、遊技玉の過払出しを防止し、払出し数量が端数であっても、ソレノイドの動作回数によって、任意数の遊技玉を払い出すことが可能となるものである。
【００１２】
また、本発明においては、回動レバーの揺動幅を規制するストッパが該遊技玉計数払出し機構のケースに設けられているため、ソレノイドの励磁および消磁によって作動する作動軸の往復動作に伴って回動する回動レバーの揺動幅が規制され、これによって回動レバーに設けられた第１の係止片と第２の係止片とによるスプロケットホイールの各係止用突部に対する間欠的な係止動作が正確に実行され、本発明による機構の精度をより向上することが可能となる。
【発明を実施するための最良の形態】
【００１３】
以下、本発明の実施例について図面を参照しながら説明する。
【実施例１】
【００１４】
本発明による遊技玉計数払出し機構は、図１又は図２に示すように、下方を向く玉通路２内に回動自在に臨ませたスプロケットホイール３の外周に遊技玉Ｐを１個ずつ係合する所定数（本実施例においては８個）の凹歯３ａ〜３ｈが形成され、玉通路２内に上部から供給された遊技玉Ｐが自重で落下しつつ凹歯３ａ〜３ｈに係合されることによってスプロケットホイール３を回転することにより、遊技玉Ｐを玉通路２の下方へ排出するようにした構成を有する。
【００１５】
図１または図２は、本発明による遊技玉計数払出し機構１を薄型ケース４に収容した状態を示すものである。なお、このケース４は本体側を図示してあり、ケース４の蓋部に相当する部材は図示を省略することによって、ケース４の内部が見える状態にしている。
【００１６】
ケース４の片側部（図示の右側部）には、不図示のパチンコ機又は玉貸機等における遊技玉供給源から送られて来た遊技玉Ｐを自重で落下させる玉通路２が形成されている。この玉通路２は上方において縦方向を向く直線状の通路２ａを成すが、途中で湾曲状に曲がった通路２ｂを経て再び縦方向を向く直線状の通路２ｃを有し、さらに再び湾曲状に曲がって排出口２ｄに至るという形状に形成されているため、上方から落下してくる遊技玉Ｐは、途中の湾曲状の通路２ｂで落下速度が緩衝され、遊技玉ｐを係合した状態の後述するスプロケットホイール３への衝撃を和らげることができる。
【００１７】
本実施例においては、上記の玉通路２において途中の直線状の通路２ｃの内側に開口部５（図２参照）が形成され、この開口部５からスプロケットホイール３の外周の歯部（例えば、歯部３Ａ）を臨ませた状態にしている。即ち、スプロケットホイール３は、図示のように、１個の歯部３Ａの先部を玉通路２内に臨ませる位置において中心軸６をケース４の軸穴（不図示）に支承することによって回動自在に動作する構成とされている。
【００１８】
また、このようなスプロケットホイール３において、玉通路２内を自重で落下する１個の遊技玉Ｐを係合するように半円形を成す凹歯３ａ、３ｂ…を該スプロケットホイール３の外周に複数形成した構成を有するものである。
【００１９】
さらに、このスプロケットホイール３の一側面には所定数の凹歯３ａ〜３ｈに対応した同じ数の係止用突部７ａ〜７ｈが設けられている。その具体的な構成として、スプロケットホイール３の一側面には８個の凹歯３ａ〜３ｈに対応した同じ数の係止用突部７ａ〜７ｈが各凹歯３ａ〜３ｈの間に設けられているため、全部で８個の係止用突部７ａ〜７ｈが４５度の均等間隔で形成された構成となる。ただし、スプロケットホイール３に設ける凹歯の数と係止用突部の数は、上記の８個に限定されるものではなく、予め設定した他の個数でもよい。
【００２０】
夫々の係止用突部７ａ〜７ｈの断面形状は、底辺が両辺よりも長い二等辺三角形であって各角部をアールにした形状を有し、夫々の底辺がスプロケットホイール３の回転方向である右回りの方向に向いた状態で形成されている。このような係止用突部７ａ〜７ｈの形状は、後述する回動レバー８の第１の係止片１７と第２の係止片１８とに正確に係止するために形成されたものである。
【００２１】
一方、図１又は図２に示すように、ケース４内において、スプロケットホイール３の側部近傍にはソレノイド１０が固設されている。このソレノイド１０はリニア型ソレノイドであり、直線状の往復動作を行う作動軸１１が下方を向く状態で固設されている。この作動軸１１の下端部には断面コ字形部（不図示）が形成されると共に、このコ字形部の隙間に回動レバー８の後端が挿入された状態で、これらのコ字形部と回動レバー８の後端とを貫くように形成された軸受孔１２に軸部材９が挿着されたことによって、回動レバー８が回動自在に設けられた構成とされている。
【００２２】
また、上記の回動レバー８はソレノイド１０の作動軸１１側の近傍に形成された支軸１３を有し、該支軸１３がケース４の軸受穴（不図示）に回動自在に挿着されている。このような構成により、回動レバー８はソレノイド１０が励磁と消磁を繰り返すことによって作動軸１１を上下方向に往復動作するのに応じて、支軸１３の周りを所定の揺動幅（図４に示す角度α）で揺動する。
【００２３】
このような構成において、回動レバー８の揺動幅を規制するストッパが、例えば、回動レバー８の支軸１３から左右に離間して該遊技玉計数払出し機構のケース４の２箇所に設けられている。即ち、図１又は図２に示すように、ケース４の下部に設けられた直線状の下部仕切り１４の左右に離間していずれも上面が円弧状に形成された右側ストッパ１５と左側ストッパ１６が形成され、例えば図２において、ソレノイド１０が励磁されて作動軸１１が上方向へ引き込まれることによって、回動レバー８が支軸１３を中心に右周りに回動すると右側ストッパ１５に当接して停止状態となり（図４参照）、また、ソレノイド１０が消磁されて作動軸１１が下方向へ移動することによって、回動レバー８が支軸１３を中心に左周りに回動すると左側ストッパ１６に当接して停止状態（図３、図５参照）となる。
【００２４】
このようにして、左右いずれの方向にも回動する回動レバー８の揺動幅（図４に示す角度α）を正確に規制することが可能となる。なお、本実施例において、回動レバー８の揺動幅を規制するストッパは、下部仕切り１４の左右に離間して右側ストッパ１５と左側ストッパ１６というように設けられているが、このような位置に特定する必要はなく、例えば、下部仕切り１４に設けられた右側ストッパ１５はそのままにしておき、左側ストッパ１６の代わりとなるストッパを回動レバー８の上辺側に設けるようにしてもよい。
【００２５】
さらに、この回動レバー８はスプロケットホイール３の一部を覆う状態まで延設され、回動レバー８の一側面、即ちスプロケットホイール３側の一側面において離間した位置に第１と第２の係止片１７、１８とが形成されている。より詳細には、下方の係止片を第１の係止片１７とし、上方の係止片を第２の係止片１８とすると、双方の係止片１７、１８
は、プロケットホイール３側の一側面において離間すると共に上下斜め方向にずれた位置に形成されている。
【００２６】
このような第１の係止片１７は突部１７ａを有する形状とされ、この突部１７ａがスプロケットホイール３の係止用突部７ａの底面側の略中央に当接する位置に形成されている。また、第２の係止片１８は、図４に示すように、スプロケットホイール３の各係止用突部７ａ、７ｂ…のアール状の角部を受けるように凹部１８ａを有して形成され、これらの形状によって、第１の係止片１７及び第２の係止片１８が交互にスプロケットホイール３の各係止用突部７ａ〜７ｈを確実に係止することが可能とされている。
【００２７】
また、上記の構成において、第１の係止片１７と第２の係止片１８との離間は、両係止片の間に、回転するスプロケットホイール３の各係止用突部７ａ〜７ｈを通過させることができる距離を有するものである。
【００２８】
上記のように構成された遊技玉計数払出し機構の動作について、図３〜図５を参照しながら述べると、まず図３において、ソレノイド１０が消磁した状態においては、作動軸１１は下方に移動した状態にあり、回動レバー８は支軸１３の周りに左回りに回動し、左側ストッパ１６で係止された状態になって停止する。
【００２９】
このとき、回動レバー８の第１の係止片１７がスプロケットホイール３の係止用突部７ａを係止した状態となってスプロケットホイール３の回転を停止すると、玉通路２内を上部から自重で落下してきた１個の遊技玉Ｐは玉通路２に臨む１個の凹歯３ｆに係合された状態になって停止する。このとき、凹歯３ｆに係合された遊技玉Ｐの上部に次の遊技玉Ｐ’が落下してきても、回動レバー８の第１の係止片１７がスプロケットホイール３の係止用突部７ａを係止した状態を保つため、スプロケットホイール３は回転せず、停止した状態を保つことができる。
【００３０】
次いで、図４に示すように、ソレノイド１０が励磁して作動軸１１が上方に引き込まれると、回動レバー８は支軸１３の周りに右回りに回動して、右側ストッパ１５で係止された状態になって停止する。この動作において、上記の図３の状態のように回動レバー８の第１の係止片１７がスプロケットホイール３の係止用突部７ａを係止した状態から解除されると、スプロケットホイール３の凹歯３ｆに係合された遊技玉Ｐの自重、さらにその上方の遊技玉Ｐ’を加えた自重によってスプロケットホイール３が矢印のように右回りに回転すると、図４に示すように、回動レバー８の第２の係止片１８がスプロケットホイール３の係止用突部７ａを係止した状態となってスプロケットホイール３の回転を停止する。
【００３１】
次いで、図５に示すように、ソレノイド１０が消磁して作動軸１１が下方に移動すると、回動レバー８は支軸１３の周りに左回りに回動し、左側ストッパ１６で係止された状態になって停止する。この動作において、上記の図４の状態のように回動レバー８の第２の係止片１８がスプロケットホイール３の係止用突部７ａを係止した状態から解除されると、スプロケットホイール３の凹歯３ｆに係合されていた遊技玉Ｐの自重によってスプロケットホイール３が右回りに回転し、凹歯３ｆの係合状態から解除された遊技玉Ｐは自重で落下して排出口２ｄを通過することによって、１個の遊技玉Ｐの払出しが行われる。このような動作と同時に、図５に示すように、回動レバー８の第１の係止片１７がスプロケットホイール３の次の係止用突部７ｈを係止した状態となってスプロケットホイール３の回転が停止し、この状態で玉通路２に臨む凹歯３ｅに次の遊技球Ｐ’が係合されて停止する。
【００３２】
それ以降は、上記の動作を繰り返すこととなる。即ち、本発明の遊技玉計数払出し機構によれば、ソレノイド１０の作動軸１１の１回の往復動作によって回動レバー８が１回揺動するに応じて、第１の係止片１７と第２の係止片１８とが交互にスプロケットホイール３の各係止用突部３ａ、３ｂ…を係止し、双方の係止片１７、１８による係止が解除された間にスプロケットホイール３が間欠的に回転することによって、遊技玉Ｐを玉通路２の下方へ１個ずつ払い出すというように、１個ずつの凹歯３ａ、３ｂ…の回転方向への送り移動を制御することが可能となる。
【００３３】
また、上記の構成において、ソレノイド１０の動作回数によって、任意数の遊技玉Ｐを払い出すことが可能となる。
【産業上の利用可能性】
【００３４】
本発明の遊技玉計数払出し機構は、遊技店等で使用されている遊技玉計数払出し機構であって、簡単な構成で遊技玉の過払出しを防止すると共に、遊技玉を１個単位で払出すことができ、端数であっても任意数だけ払出すことができるようにした遊技玉計数払出し機構として利用可能である。
【図面の簡単な説明】
【００３５】
【図１】本発明による遊技玉計数払出し機構の蓋部を取った内部状況を示す斜視図である。
【図２】本発明による遊技玉計数払出し機構の蓋部を取った内部状況を示す正面図である。
【図３】本発明による遊技玉計数払出し機構の動作を示す図である。
【図４】本発明による遊技玉計数払出し機構の動作を示す図である。
【図５】本発明による遊技玉計数払出し機構の動作を示す図である。
【図６】（ａ）および(b)は、特許文献１に関する装置の動作図である。
【図７】特許文献２に関する装置の斜視図である。
【符号の説明】
【００３６】
１  遊技玉計数払出し機構
２  玉通路
２ａ  直線状の通路
２ｂ  湾曲状に曲がった通路
２ｃ  直線状の通路
２ｄ  排出口
３  スプロケットホイール
３ａ〜３ｈ  凹歯
３Ａ  歯部
４  ケース
５  開口部
６  中心軸
７ａ〜７ｈ  係止用突部
８  回動レバー
９  軸部材
１０  ソレノイド
１１  作動軸
１２  軸受孔
１３  支軸
１４  下部仕切り
１５  右側ストッパ
１６  左側ストッパ
１７  第１の係止片
１７ａ  突部
１８  第２の係止片
１８ａ  凹部
Ｐ、Ｐ’  遊技玉
【図１】
2007082735.tif 000003
【図２】
2007082735.tif 000004
【図３】
2007082735.tif 000005
【図４】
2007082735.tif 000006
【図５】
2007082735.tif 000007
【図６】
2007082735.tif 000008
【図７】
2007082735.tif 000009